(57)【要約】【課題】本発明は、液滴が排気用配管外に漏洩するのを防止し、結晶等の堆積、付着を防止した排気用配管構造を提供することを目的とする。【解決手段】配管を縁切りし、空気を取り入れた排気用配管において、空気の流れが排気方向と逆方向になる流路を設けたことを特徴とする排気用配管であり、縁切りした上流側の配管の口径を縁切りした下流側の配管の口径より大きくし、該下流側の配管を、該上流側の配管中に挿入したことを特徴とする。【選択図】図１
2004232841.tif 000002
【特許請求の範囲】
【請求項１】
配管を縁切りし、空気を取り入れた排気用配管において、空気の流れが排気方向と逆方向になる流路を設けたことを特徴とする排気用配管。
【請求項２】
縁切りした上流側の配管の口径を縁切りした下流側の配管の口径より大きくし、該下流側の配管を、該上流側の配管中に挿入したことを特徴とする請求項１に記載の排気用配管。
【請求項３】
上流側の配管の口径より大きい配管を、さらに、下流側配管に連結して二重構造としたことを特徴とする請求項２に記載の排気用配管。
【請求項４】
下流側配管に連結された上流側の配管の口径よりも大きい配管と、上流側配管の間隙に、固定用部材を設けたことを特徴とする請求項３に記載の排気用配管。
【発明の詳細な説明】
【０００１】
【発明の属する技術分野】
本発明は、化学プラントの局所排気用等として用いられる排気用配管の構造に関する。
【０００２】
【従来の技術】
化学反応を行う反応槽でガスが発生したり、大気中で臭気があるものを取り扱う場合、局所排気フードを用いてガスまたは臭気を吸引することが行われる。このような局所排気フードに連結されている排気用配管は、途中配管を縁切りし、排気方向の下流側の配管の口径を、上流側の配管の口径よりも大きくして下流側の配管を上流側の配管に挿入する構造を有し、この構造により外気を取り入れ、ガス受け入れ側の容器の保護や、ガス濃度の低減させるために、流量を調節している。（図２を参照）
【０００３】
【発明が解決しようとする課題】
しかし、上記のような配管構造では、長期間使用していると縁切りされた配管の下流側の配管と上流側の配管の重なりの部分内で、排ガス中に含まれる反応物質等を含むミストが、吸引する大気で濃縮されて結晶化し閉塞状態になったり、配管内で液滴化し下流配管内側を伝って排気用配管外へ漏洩したりする等の問題があった。この様な場合、配管を必要に応じて解体し、洗浄する等の面倒で煩雑な作業を反応の頻度に応じて行う必要があった。
【０００４】
本発明は、液滴が排気用配管外に漏洩するのを防止し、結晶等の堆積、付着を防止した排気用配管構造を提供することを目的とする。
【０００５】
【課題を解決するための手段】
本発明者らは、上記課題を解決すべく鋭意検討した結果、大気から取り入れる空気の流れが、排気方向と逆方向になる流路を設けることにより、上記課題を解決できることを見出し、本発明を完成するに至った。
【０００６】
即ち、本発明は、
（１）配管を縁切りし、空気を取り入れた排気用配管において、空気の流れが排気方向と逆方向になる流路を設けたことを特徴とする排気用配管に関し、
（２）縁切りした上流側の配管の口径を縁切りした下流側の配管の口径より大きくし、該下流側の配管を、該上流側の配管中に挿入したことを特徴とする（１）に記載の排気用配管、
（３）上流側の配管の口径より大きい配管を、さらに、下流側配管に連結して二重構造としたことを特徴とする（２）に記載の排気用配管、
（４）下流側配管に連結された上流側の配管の口径よりも大きい配管と、上流側配管の間隙に、固定用部材を設けたことを特徴とする（３）に記載の排気用配管に関する。
【０００７】
【発明の実施の形態】
本発明の排気用配管は、配管を縁切りし、空気を取り入れた排気用配管において、空気の流れが排気方向と逆方向になる流路を設けたことを特徴とする。そのような空気の流れを有する配管の構造であれば、特に制限されないが、具体的には、図１に示すような構造を例示することができる。
【０００８】
排気用配管（１）は、フランジ（１５）を介して反応槽などの排気ガスなどを発生する容器に接続されており、縁切りされた上方他端から吸引することにより、排気されるガスは、下方から上方に向かって流れる。フランジ（１５）特に設置するする必要はないが、定期的な清掃を容易に行うために、設置した方が好ましい。
【０００９】
上流側の配管（１）は、そのの口径が下流側の排気用配管（５）の口径よりも大きい配管であれば、特にその構造に制限がない。排気用配管（５）より流出する流量を調節する点において、排気用配管（１）と排気用配管（５）の口径を同等適度にするのが好ましく、その場合に、図１に示すように、開口上端（２）において、口径を拡大する構造とした方が好ましい。配管の口径を拡大させる方法は、特に制限はないが、上向きに広がっている傾斜部（１０）とその上部つながる直筒状の直筒部（１１）からなる構造が、配管強度的にも、管内の発生する液滴を配管上流側に滴下できる点においても、好ましい。
【００１０】
上部開口端（３）の内径は、排気用配管（１）の内径よりも大きければ特に制限されないが、１．２倍〜２．５倍程度が好ましい。傾斜部（１０）の傾斜角度は、内部に落下する液滴などがよどみなく排ガス管（１）に流下する３０〜６０°（直筒部（１１）と傾斜部（１０）との接点での俯角）が好ましい。傾斜部（１０）とその上部でつながる直筒部（１１）は必ずしも一定の角度を有して接合される必要はなく、直筒部を徐々に絞って傾斜部（１０）を湾曲させて接合することもできる。
【００１１】
排気用配管（５）は、排ガスの移送先にフランジ（１５）を介して連結されており、排気用配管管（１）と同様に、必ずしもフランジを設ける必要はない。配管（５）は下方が開口されており、その開口下端（６）は、下方の配管上端（３）よりも上流側に位置するように設置される。下方の配管上端（３）からの距離は、特に制限されないが、排ガスの流出量を調整するために排気用配管（５）内径の０．３〜１．５倍の範囲が好ましい。
【００１２】
また、排気用配管（５）には、配管（１）の外径よりもさらに大きい内径を有する配管が連結され、配管（５）と二重構造を有しているのが好ましい。このような構造の具体例として、図１に示すような接合傾斜部（１２）、直筒状の筒部（１３）を有する配管（９）を例示することができる。配管（９）の内径は、特に制限はされないが、配管（５）の内径の１．５〜３．０倍が好ましい。
【００１３】
筒部（１３）の開口下端（８）は、開口上端（３）よりも、上流側の位置に設置される。また、配管（５）の開口下端（６）との位置関係は特に制限されないが、開口下端（６）と同等または、下流側に位置するのが好ましい。また、開口上端（３）と配管（９）間には、空気が流通できるだけの間隙が少なくとも設けられている。
【００１４】
また、図１のごとく下流側の配管を二重構造にした場合に、筒部（１１）と配管（５）の間隔は、筒部（１３）と筒部（１１）の間隔と、ほぼ同等から２倍程度とするのが好ましい。また、筒部（１３）と筒部（１１）の間隔は、配管（１）の内径に対して、１／１５〜１／２程度の範囲で適宜選択でき、例えば、配管（１）の内径が２００ｍｍでは１５ｍｍ程度であり、４０ｍｍ程度では５〜１５ｍｍを例示することができるが、配管（１）及び配管（５）のガス流速などにより適宜選択することができる。
【００１５】
配管（５）と接合傾斜部（１２）の接触角は直角に近い角度でも差し支えないが、排ガスの吸引抵抗を少なくする目的の為に１０〜３０°（上方端（７）での俯角）の緩い角度が望ましい。又、接合傾斜部（１２）とその下部につながる筒部（１３）は必ずしも一定の角度を有して接合される必要はなく、筒部を徐々に絞って接合傾斜部（１２）を湾曲させて接合することもできる。
【００１６】
本発明の一実施形態である図１に示す配管構造は、連結フランジによって固定されているが、配管（４）と配管（９）の相対的位置を固定させるために、例えば、配管（９）の下部と配管（４）の直筒部（１１）の間に、適当な間隔で複数個の固定部材（１４）を設置することもできる。
【００１７】
本発明の排気用配管の設置方向は、特に限定されないが、垂直ないし略垂直方向であるのが好ましい。
排気用配管（１）を流れるガス（矢印Ａ）は、配管（９）と配管（４）との間隙へ吸引される大気（矢印Ｂ）と配管（４）の直筒部（１１）で混合されて配管（５）内を移送先方向（矢印Ｃ）に運ばれる。この際、外から吸引される空気の流れが、排ガスの流れる方向と逆方向になる流路を設けることにより、排ガスが外部に漏れることなく、しかも、外部との空隙に、結晶が堆積したり、配管に付着した液滴が外部に漏洩するのを防止することができる。
【００１８】
【発明の効果】
以上述べたように、本発明の排気用配管構造は、配管内で生じる液滴又は粉末様物質の外部への漏洩を防止することができ、排ガスの流速を損なうことなく外気を取り込むことができるので粉末状物質の堆積または付着を防止することができ、安定に化学プラントを操業することができ、産業上の利用価値は高いといえる。
【００１９】
【図面の簡単な説明】
【図１】本発明の排気用配管を示す斜視図である。
【図２】従来の排気用配管を示す斜視図である。
【図１】
2004232841.tif 000003
【図２】
2004232841.tif 000004